(57)【要約】【課題】  本発明は、商用電源をスイッチングして、スイッチングトランスの二次側に定電圧を供給するスイッチング電源回路保護装置に関するものである。【解決手段】  本発明は、スイッチングトランジスタのコレクタに印加される電圧に着目して、前記電圧を電圧比較回路の閾値と比較し、前記閾値を超えた時間当たりの回数を周波数としてマイクロコンピュータに送信して、マイクロコンピュータで受信した前記周波数により、スイッチングトランジスタのコレクタに印加される過大電圧の回数を演算することにより、予め決められた値を超えた場合、警報を発生させている。【選択図】    図１
2006067711.tif 000002
【特許請求の範囲】
【請求項１】
商用電源を整流・平滑した電圧を分圧する分圧抵抗を備えた整流回路と、
前記分圧された電圧によってオン・オフするスイッチングトランジスタと、
通電することによりエネルギーを蓄積する一次巻線と、前記一次巻線に発生する起電力を利用した帰還回路を介して前記スイッチングトランジスタをオフさせる前記一次巻線と同相である帰還巻線と、前記スイッチングトランスの一次電流を遮断することにより、前記蓄積されたエネルギーを二次巻線側に放出して起電力を発生させるスイッチングトランスと、
前記二次巻線の出力電圧を平滑する定電圧発生回路と、
前記スイッチングトランジスタにおける電流がオフ時のコレクタ電圧を、予め決められた閾値電圧と比較する電圧比較回路と、
前記電圧比較回路の出力を信号として送信する送信回路と、
から少なくとも構成されているスイッチング電源回路；
前記送信回路からの信号を受信する受信回路；
前記受信回路で受信された信号の周波数を検出する周波数検出回路と、
予め前記周波数に対する閾値電流が記憶されている周波数記憶手段と、
前記スイッチングトランジスタに許容される周波数が記憶されている周波数設定手段と、
前記周波数検出回路によって検出された周波数と、前記周波数設定手段に設定されている周波数を超えたか否かを演算して判断する比較判断回路と、
から少なくとも構成されているマイクロコンピュータ；
前記比較判断回路によりスイッチングトランジスタに過大な電圧が印加されていると判断された場合、警報を発する警報装置；
から構成されていることを特徴とするスイッチング電源回路保護装置。
【請求項２】
前記マイクロコンピュータには、
前記スイッチングトランジスタを破壊および／または故障に至る閾値が予め設定されている安全動作領域設定手段と、
前記安全動作領域設定手段に設定されているデータと前記周波数とを比較して、前記スイッチングトランジスタが前記安全領域を超えたか否かを演算して判断する比較判断回路と、
を備えていることを特徴とする請求項１に記載されたスイッチング電源回路保護装置。
【請求項３】
前記マイクロコンピュータには、
前記スイッチングトランジスタが劣化した時のコレクタ電圧への影響が判る特性データが記憶されている特性データ記憶手段と、
前記特性データ記憶手段に記憶されているデータと前記周波数とを比較して、前記スイッチングトランジスタが劣化しているか否かを演算して判断する比較判断回路と、
を備えていることを特徴とする請求項１に記載されたスイッチング電源回路保護装置。
【請求項４】
前記マイクロコンピュータには、
前記スイッチングトランジスタを破壊および／または故障に至る閾値が予め設定されている安全動作領域設定手段と、
前記スイッチングトランジスタが劣化した時のコレクタ電圧への影響が判る特性データが記憶されている特性データ記憶手段と、
前記安全動作領域設定手段に設定されているデータおよび前記特性データ記憶手段に記憶されている特性データと、前記周波数とを比較して、前記スイッチングトランジスタが前記安全領域および特性データを超えたか否かを演算して判断する比較判断回路と、
を備えていることを特徴とする請求項１に記載されたスイッチング電源回路保護装置。
【発明の詳細な説明】
【技術分野】
【０００１】
本発明は、商用電源をスイッチングする際の動作によって、スイッチングトランス内のエネルギーを充電および放電させ、前記スイッチングトランジスタがオン時に蓄えられたエネルギーをオフ時に前記スイッチングトランスの二次巻線側に放出することにより、定電圧を得るスイッチング電源回路保護装置に関するものである。
【０００２】
本発明は、前記スイッチングトランスの一次巻線の通電をオン・オフさせるスイッチングトランジスタのコレクタ電圧が予め決められた閾値を越えた回数をマイクロコンピュータに監視させ、所定の規定幅を超えた周波数（回数）で前記スイッチングトランジスタに印加された場合、マイクロコンピュータがリモートコントローラを通じて警報を報知し、ユーザにメンテナンスの必要性を知らせるスイッチング電源回路保護装置に関するものである。
【背景技術】
【０００３】
従来のスイッチング電源回路は、スイッチングトランスの一次巻線とスイッチングトランジスタとで発振動作を行わせ、前記スイッチングトランス内のエネルギーを一次巻線側に蓄積した後、二次巻線側に放出して、起電力を発生させる。前記起電力は、整流回路および平滑回路により、任意の定電圧が得られる。
【０００４】
前記スイッチング電源回路は、通常、二次側の出力電圧を監視し、一次側にフィードバックさせ、前記スイッチングトランジスタの発振周波数やオン時間を制御して、定電圧化を行っている。また、前記スイッチングトランジスタは、過大なコレクタ電流が流れた時、エミッタ電流を検知し、スイッチングトランジスタのベース電流を制限していた。
【０００５】
また、マイクロコンピュータを使用したスイッチング電源回路の制御は、たとえば、特開平１１−６３４８３号公報、あるいは特開２０００−１８５１１２号公報がある。
【特許文献１】特開平１１−６３４８３号公報
【特許文献２】特開２０００−１８５１１２号公報
【発明の開示】
【発明が解決しようとする課題】
【０００６】
前記スイッチング電源回路は、二次側からのフィードバックによる定電圧回路やスイッチングトランジスタのコレクタ電流を制限する保護回路を備えている。しかし、前記スイッチングトランジスタがオフの時、スイッチングトランスのリーケージインダクタンスに蓄積されたエネルギーは、他の巻線と結合していない成分のため、一次側から二次側へ電力の移行がされずに、スイッチングトランジスタがオフした瞬間に逆起電力を発生し、スイッチングトランジスタのコレクタ電圧に重畳される。
【０００７】
しかし、従来のスイッチング電源回路は、前記スイッチングトランジスタのオフ時における前記コレクタ電圧に対する保護または安全機能を有していない。
【０００８】
また、前記スイッチングトランジスタが破壊または故障に至るということは、その製品が動作しないということであり、たとえば、前記スイッチング電源回路を搭載したユニットで、給湯機を制御していた場合、前記スイッチング電源回路の故障により、使用者が修理完了までの数日間風呂に入れないという事態になる可能性がある。
【０００９】
以上のような課題を解決するために、本発明は、スイッチングトランジスタに規定以上のコレクタ電圧が印加された時、その回数を監視することで、前記スイッチング電源回路の動作状態を精度良く把握し、スイッチング電源回路が完全に破壊または故障する前に警報により報知することで、前記スイッチング電源回路の交換時期を予測して、短時間で交換し、使用者に及ぼす不便や危険を最小限に防止するスイッチング電源回路保護装置を提供することを目的とする。
【００１０】
また、本発明は、スイッチングトランジスタのコレクタ電圧と、スイッチング電源回路における温度、その他の条件との関係を実験して、データとして記憶させておく。前記比較判断回路は、前記コレクタ電圧と前記データとを比較し、比較結果があるコレクタ電圧に達した場合、前記コレクタ電圧を越えた周波数により、前記スイッチング電源回路が故障または破壊を予測することができる。
【課題を解決するための手段】
【００１１】
（第１発明）
第１発明のスイッチング電源回路保護装置は、商用電源を整流・平滑した電圧を分圧する分圧抵抗を備えた整流回路と、前記分圧された電圧によってオン・オフするスイッチングトランジスタと、通電することによりエネルギーを蓄積する一次巻線と、前記一次巻線に発生する起電力を利用した帰還回路を介して前記スイッチングトランジスタをオフさせる前記一次巻線と同相である帰還巻線と、前記スイッチングトランスの一次電流を遮断することにより、前記蓄積されたエネルギーを二次巻線側に放出して起電力を発生させるスイッチングトランスと、前記二次巻線の出力電圧を平滑する定電圧発生回路と、前記スイッチングトランジスタにおける電流がオフ時のコレクタ電圧を、予め決められた閾値電圧と比較する電圧比較回路と、前記電圧比較回路の出力を信号として送信する送信回路とから少なくとも構成されているスイッチング電源回路；
前記送信回路からの信号を受信する受信回路；
前記受信回路で受信された信号の周波数を検出する周波数検出回路と、予め前記周波数に対する閾値電流が記憶されている周波数記憶手段と、前記スイッチングトランジスタに許容される周波数が記憶されている周波数設定手段と、前記周波数検出回路によって検出された周波数と、前記周波数設定手段に設定されている周波数を超えたか否かを演算して判断する比較判断回路とから少なくとも構成されているマイクロコンピュータ；
前記比較判断回路によりスイッチングトランジスタに過大な電圧が印加されていると判断された場合、警報を発する警報装置；
から構成されていることを特徴とする。
【００１２】
（第２発明）
第２発明のスイッチング電源回路保護装置において、第１発明のマイクロコンピュータには、スイッチングトランジスタを破壊および／または故障に至る閾値が予め設定されている安全動作領域設定手段と、前記安全動作領域設定手段に設定されているデータと前記周波数とを比較して、前記スイッチングトランジスタが前記安全領域を超えたか否かを演算して判断する比較判断回路とを備えていることを特徴とする。
【００１３】
（第３発明）
第３発明のスイッチング電源回路保護装置において、第１発明のマイクロコンピュータには、スイッチングトランジスタが劣化した時のコレクタ電圧への影響が判る特性データが記憶されている特性データ記憶手段と、前記特性データ記憶手段に記憶されているデータと前記周波数とを比較して、前記スイッチングトランジスタが劣化しているか否かを演算して判断する比較判断回路とを備えていることを特徴とする。
【００１４】
（第４発明）
第４発明のスイッチング電源回路保護装置において、第１発明のマイクロコンピュータには、スイッチングトランジスタを破壊および／または故障に至る閾値が予め設定されている安全動作領域設定手段と、前記スイッチングトランジスタが劣化した時のコレクタ電圧への影響が判る特性データが記憶されている特性データ記憶手段と、前記安全動作領域設定手段に設定されているデータおよび前記特性データ記憶手段に記憶されている特性データと、前記周波数とを比較して、前記スイッチングトランジスタが前記安全領域および特性データを超えたか否かを演算して判断する比較判断回路とを備えていることを特徴とする。
【発明の効果】
【００１５】
本発明によれば、従来のコレクタ電流に対する保護機能に加え、スイッチングトランジスタのコレクタ電圧を監視することにより、スイッチングトランジスタがオフする時に発生するサージ電圧等により、スイッチングトランジスタのコレクタに任意に設定された規定以上の電圧が一定頻度で印加された場合、前記スイッチングトランジスタが異常であると判断して、ユーザに対して、リモートコントローラの表示部または音により知らせ、メンテナンスまたは交換の必要性を知らせることが可能になる。
【００１６】
本発明によれば、スイッチング電源回路の動作状態が精度良く把握することができるため、スイッチング電源回路の交換または修理時期が予測でき、使用者にかける不便や危険を最小限に済ませることができる。
【００１７】
本発明によれば、スイッチングトランジスタのコレクタ電圧がある一定の閾値を超えた頻度により、警報を発するようになっているため、完全に破壊または故障する前に、対策を立てることができるため、使用者が長期間にわたって、スイッチング電源回路が組み込まれた装置を使用できないという不便がなくなる。
【００１８】
本発明によれば、スイッチングトランジスタのコレクタ電圧の閾値は、スイッチングトランジスタが瞬間的に破壊に至らないレベルに設定することにより、完全に破壊または故障する前に警告が出されるために、使用者に危険が及ばないだけでなく、スイッチング電源回路の交換または修理を早く行うことができる。
【００１９】
本発明によれば、スイッチングトランジスタのコレクタ電圧と閾値とを比較することにより、スイッチング電源回路の現在の状態を予測することが容易になった。
【発明を実施するための最良の形態】
【００２０】
（第１発明）
第１発明のスイッチング電源回路保護装置は、定電圧を得る定電圧回路と、前記定電圧を得るための制御回路とから構成されているスイッチング電源回路と；前記スイッチング電源回路から送信された信号を受信する受信回路と、；前記受信回路によって受信された信号によって前記スイッチング電源回路を制御するマイクロコンピュータと、；前記マイクロコンピュータからの信号により警報を送出する警報装置と；を備えている。
【００２１】
前記定電圧回路は、整流回路と、スイッチングトランジスタと、一次巻線と帰還巻線および二次巻線からなるスイッチングトランスと、定電圧整流回路とから構成されている。
【００２２】
整流回路は、商用電源を整流・平滑するとともに、前記平滑された電圧を分圧する分圧抵抗を備えている。スイッチングトランジスタは、前記分圧された電圧によってオン・オフするとともに、一次巻線に通電することによりエネルギーを蓄積する。
【００２３】
前記一次巻線と同相である帰還巻線は、前記一次巻線に発生する起電力を利用した帰還回路を介して前記スイッチングトランジスタをオフさせる。スイッチングトランスは、前記一次巻線の一次電流を遮断することにより、前記蓄積されたエネルギーを二次側に放出して起電力を発生させる。前記二次巻線の出力電圧は、平滑されて定電圧を発生する。
【００２４】
前記制御回路は、前記スイッチングトランジスタにおける電流がオフ時のコレクタ電圧を、予め決められた閾値電圧と比較する電圧比較回路と、前記電圧比較回路の出力を信号として送信する送信回路とから少なくとも構成されている。前記閾値電圧は、前記スイッチングトランジスタにおける電流がオフ時のコレクタ電圧が予め決められた電圧値を越したことを示す信号として送信回路から送信される。
【００２５】
前記送信回路から送信された信号は、前記受信回路によって受信され、前記マイクロコンピュータに送られる。前記マイクロコンピュータは、前記受信回路で受信された前記閾値電圧を超えたことを示す信号の単位時間当たりの回数を周波数として検出する周波数検出回路と、前記スイッチングトランジスタにおける電流がオフ時のコレクタ電圧として印加される許容回数である周波数が記憶されている周波数設定手段と、スイッチングトランジスタの許容し得る前記電圧であるか否かを判断する比較判断回路とから構成されている。
【００２６】
前記比較判断回路は、前記周波数検出回路によって検出された周波数と、予め記憶されている周波数設定手段の周波数とによって、スイッチングトランジスタが不良になるか否かを演算して判断する。
【００２７】
すなわち、前記比較判断回路は、前記周波数（前記スイッチングトランジスタにおけるオフ時のコレクタ電圧が閾値電圧を超えた単位時間当たりの回数）と、予め設定された周波数（前記スイッチングトランジスタが不良または破壊される可能性のある電圧が印加された許容回数）とを比較して、前記スイッチングトランジスタが不良または破壊する恐れのある状態か否かを決める。
【００２８】
警報装置は、たとえば、リモートコントローラ等に取り付けられており、前記比較判断回路によりスイッチングトランジスタが不良または破壊される状態にあると判断した場合、警報を発する。
【００２９】
第１発明は、スイッチングトランジスタにおけるオフ時のコレクタ電圧に着目して、前記電圧が一定の閾値電圧を超えた時間当たりの回数を周波数としてマイクロコンピュータ側に送信して、マイクロコンピュータにより前記周波数を検出し、スイッチングトランジスタが予め決められた回数以上の高い電圧が印加された場合、警報を発生させている。すなわち、第１発明は、電源変動等によるスイッチングトランジスタのコレクタに印加される電圧の誤差程度によって警報を発することがない。
【００３０】
（第２発明）
第２発明のスイッチング電源回路保護装置において、マイクロコンピュータには、周波数検出回路と、安全動作領域設定手段と、比較判断回路とを備えている。前記周波数検出回路は、第１発明と同様に、スイッチングトランジスタにおけるオフ時のコレクタ電圧が一定の閾値電圧を超えた回数である周波数を検出する。
【００３１】
前記安全動作領域設定手段は、前記スイッチングトランジスタが破壊および／または故障に至る閾値がデータ、たとえば、スイッチングトランスの一次巻線に蓄えられたサージ電圧等のデータ等が予め設定されている。前記比較判断回路は、前記安全動作領域設定手段に設定されているデータと前記周波数とを比較して、前記スイッチングトランジスタが前記安全領域を超えたか否かを演算して判断する。
【００３２】
（第３発明）
第３発明のスイッチング電源回路保護装置において、マイクロコンピュータには、安全動作領域設定手段の代わりに、スイッチングトランジスタが劣化した時のコレクタ電圧への影響が判る特性データが予め記憶されている特性データ記憶手段を備えている点で、第２発明と異なっている。
【００３３】
前記特性データ記憶手段は、前記スイッチングトランジスタが破壊や故障に至るスイッチングトランジスタのオフ時のコレクタ電圧と、前記スイッチングトランジスタの特性を含めたデータが予め記憶されている。前記比較判断回路は、前記特性データ記憶手段に設定されているデータと前記周波数とを比較して、前記スイッチングトランジスタが故障または破壊されそうな状態にあるか否かを演算して判断する。
【００３４】
（第４発明）
第４発明のスイッチング電源回路保護装置において、マイクロコンピュータには、第１発明から第３発明の構成要件であるスイッチングトランジスタの故障や破壊等の原因になる周波数が設定されている周波数設定手段と、安全動作領域設定手段と、前記特性データ記憶手段が備えられている。
【００３５】
前記マイクロコンピュータは、前記周波数設定手段と、安全動作領域設定手段と、前記特性データ記憶手段に記憶されているデータを参考にして、前記スイッチングトランジスタの状態をいろいろな角度から的確に把握することにより、リモートコントローラにおける警報装置に信号を送る。
【実施例１】
【００３６】
図１は本発明の第１実施例であるスイッチング電源回路の保護装置を説明するための回路図と一部ブロック構成図である。図１において、スイッチング電源回路は、商用電源１と、ブリッジダイオード２と、平滑コンデンサー３と、起動抵抗４と、スイッチングトランジスタ５と、スイッチングトランス６と、整流ダイオード７と、平滑コンデンサー８と、帰還回路９と、フィードバック回路１０と、トランジスタ駆動回路１１と、ベース電流制限用トランジスタ１２と、エミッタ抵抗１３と、電圧比較回路１４と、過電圧検知信号送信回路１５とから少なくとも構成されている。
【００３７】
前記スイッチング電源回路は、前記スイッチング電源回路を制御するマイクロコンピュータ１６と、前記過電圧検知信号送信回路１５から送出された信号を受信する過電圧検知信号受信回路１７と、前記マイクロコンピュータ１６からの信号により、警報を発する警報器等を備えたリモートコントローラ１８とが少なくとも取り付けられている。
【００３８】
商用電源１は、ブリッジダイオード２により整流された後、平滑コンデンサー３によって平滑される。前記平滑コンデンサー３には、並列に起動抵抗４が接続されている。スイッチングトランジスタ５は、前記平滑コンデンサー３によって変換された直流電圧が起動抵抗４等に印加されることにより、オンする。
【００３９】
前記スイッチングトランジスタ５のオンは、スイッチングトランス６の一次巻線に通電し、前記通電中にスイッチングトランス６内にエネルギーが蓄積される。前記一次巻線に通電される電流は、一次関数的に増加し、前記スイッチングトランジスタ５のベース電流が不足することで、前記スイッチングトランジスタ５がオフする。
【００４０】
前記スイッチングトランス６内に蓄積されたエネルギーは、次に、スイッチングトランス６の二次側へエネルギーを放出して二次起電力が発生する。前記二次起電力は、整流ダイオード７と平滑コンデンサー８により平滑される。フィードバック回路１０は、平滑された電圧をトランジスタ駆動回路１１にフィードバックし、ベース電流制限用トランジスタ１２を駆動し、スイッチングトランジスタ５のベース電流を制御し、二次側電圧の安定化を行う。
【００４１】
前記スイッチングトランジスタ５は、過大なコレクタ電流が流れると、同時にエミッタ電流が増大し、エミッタ抵抗１３の両端の電圧が増大する。前記増大したエミッタ電圧は、ベース電流制限用トランジスタ駆動回路１１を駆動させ、ベース電流制限用トランジスタ１２により、スイッチングトランジスタ５のベース電流を制限し、過大なコレクタ電流が流れないように保護を行う。
【００４２】
次に、本発明のスイッチング電源回路の保護機能について動作を説明する。まず、スイッチングトランジスタ５のコレクタに、任意に設定された閾値以上の電圧が印加された場合、電圧比較回路１４は、過電圧検知信号送信回路１５を駆動させる。前記過電圧検知信号送信回路１５は、たとえば、フォトカプラによって構成されている。
【００４３】
前記過電圧検知信号送信回路１５は、過電圧検知信号受信回路１７に前記信号を送信する。マイクロコンピュータ１６は、前記過電圧検知信号受信回路１７で受信された信号を計測する。マイクロコンピュータ１６は、前記閾値を越えた信号が、予め設定された回数を越えた場合、スイッチングトランジスタ５が異常であると判断し、リモートコントローラ１８に設けられた表示装置または警報装置によって、メンテナンスの必要性があること、あるいは故障または破壊が予測されることをユーザに知らせる。
【００４４】
図２は本発明の第１実施例におけるマイクロコンピュータを説明するための概略ブロック構成図である。図２において、マイクロコンピュータ１６は、周波数検出回路１６１と、周波数設定手段１６２と、比較判断回路１６３とから少なくとも構成されている。
【００４５】
前記周波数検出回路１６１は、前記過電圧検知信号受信回路１７で受信した信号の回数、すなわち、周波数を検出する。前記周波数設定手段１６２は、スイッチングトランジスタ５が安全に動作するコレクタ電圧の閾値が周波数（閾値を越える回数）として予め設定されている。前記比較判断回路１６３は、前記過電圧検知信号受信回路１７で受信した信号の回数が前記周波数設定手段１６２に設定された周波数より多いか否かを調べる。
【００４６】
前記比較判断回路１６３は、スイッチングトランジスタ５が安全に動作する前記周波数設定手段１６２の周波数範囲を越えた場合、リモートコントローラ１８を通じて、たとえば、警報を発生する。前記周波数設定手段１６２は、前記警報だけでなく、危険信号を発する周波数を別に設けることができる。
【００４７】
前記スイッチング電源回路は、何らかの原因により、発火や発煙等、使用者にとって重大な危害を及ぼす恐れがある。前記スイッチング電源回路は、前記場合を防ぐために、スイッチングトランジスタ１５のコレクタ電圧が閾値を越えた回数が多くなった場合、スイッチング電源回路にラッチ回路を設けて、スイッチングトランジスタ５のスイッチング動作を停止させることができる。
【実施例２】
【００４８】
図３は本発明の第２実施例で、マイクロコンピュータの機能を説明するための概略ブロック構成図である。図３において、マイクロコンピュータ１６は、周波数検出回路１６１と周波数設定手段１６２と、比較判断回路１６３と、安全動作領域設定手段１６４と、特性データ記憶手段１６５とを備えている。
【００４９】
前記第２実施例は、安全動作領域設定手段１６４と、特性データ記憶手段１６５を設けている点で第１実施例と異なっている。前記電圧比較回路１４は、前記スイッチングトランジスタ５が瞬間に破壊されるよりやや低い閾値電圧が設定されている。前記安全動作領域設定手段１６４は、前記スイッチングトランジスタ５のコレクタ電圧が瞬間に破壊されるよりやや低い閾値電圧を越えた回数が設定されている。
【００５０】
前記比較判断回路１６３は、前記設定状態において、前記安全動作領域設定手段１６４に設定されている周波数を越えたと判断した場合、前記スイッチングトランジスタ５の安全動作領域を越える恐れがあるので、リモートコントローラ１８に警報を送る。
【００５１】
前記特性データ記憶手段１６５は、スイッチングトランジスタ５に関する特性データ、たとえば、コレクタ電圧に関する正常値、破壊直前の値、破壊および故障を発生させる直前の温度によるコレクタ電圧値、その他実験による各種データが記憶されている。電圧比較回路１４は、たとえば、前記各種データに基づいた閾値に設定しておく。前記比較判断回路１６３は、前記閾値を越えた周波数と、前記特性データ記憶手段１６５に記憶されているデータとを比較し、前記データを越えている場合、それなりの情報を報知するようになっている。
【産業上の利用可能性】
【００５２】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。また、スイッチング電源回路は、本実施例に記載されたものだけではなく、公知または周知のものに適用できる。
【図面の簡単な説明】
【００５３】
【図１】本発明の第１実施例であるスイッチング電源回路の保護装置を説明するための回路図と一部ブロック構成図である。（実施例１）
【図２】本発明の第１実施例におけるマイクロコンピュータを説明するための概略ブロック構成図である。
【図３】本発明の第２実施例で、マイクロコンピュータの機能を説明するための概略ブロック構成図である。（実施例２）
【符号の説明】
【００５４】
１・・・商用電源
２・・・ブリッジダイオード
３・・・平滑コンデンサー
４・・・起動抵抗
５・・・スイッチングトランジスタ
６・・・スイッチングトランス
７・・・整流ダイオード
８・・・平滑コンデンサー
９・・・帰還回路
１０・・・フィードバック回路
１１・・・トランジスタ駆動回路
１２・・・ベース電流制限用トランジスタ
１３・・・エミッタ抵抗
１４・・・電圧比較回路
１５・・・過電圧検知信号送信回路
１６・・・マイクロコンピュータ
１６１・・・周波数検出回路
１６２・・・周波数設定手段
１６３・・・比較判断回路
１６４・・・安全動作領域設定手段
１６５・・・特性データ記憶手段
１７・・・過電圧検知信号受信回路
１８・・・リモートコントローラ
【図１】
2006067711.tif 000003
【図２】
2006067711.tif 000004
【図３】
2006067711.tif 000005